(57)【要約】【課題】本発明の熱源ユニットは、矩形の筐体内部に設けられ冷凍サイクルを制御する機能を有する制御基板などの電装部品を収容する電源箱において、電源箱の側壁面の略中央から上方向に開放されてリード線に収納する収納溝を有し、側壁に対して平行であるリード線収納溝を設ける構成としている。【解決手段】電源箱４は、収納孔１２の外側に側壁面１８に対して平行であるリード線収納溝１３を設けて、リード線収納溝１３内に収納孔１２から収納するリード線１４を引き廻している。リード線収納溝１３の構成について、リード線導出孔１２の深さ寸法Ｅは、開口幅Ｃ寸法よりも長くして更に底面幅Ｄ寸法を短くすることにより、リード線収納溝１３への挿入が容易であり、リード線１４を確実にリード線収納溝１３内へ収納することができる。【選択図】図２
2005147468.tif 000002
【特許請求の範囲】
【請求項１】
略矩形の筐体の上面側に配置され、電装部品を収容する電源箱であって、上方に開放されているとともに前記電源箱から導出されるリード線を収納するリード線収納溝を有する電源箱を具備したことを特徴とする熱源ユニット。
【請求項２】
リード線収納溝は深さＥが前記リード線収納溝の開口幅Ｃより大きく構成されるとともに、前記リード線収納溝の内側壁面にリード線を挟み込むようにリブを立設したことを特徴とする請求項１記載の熱源ユニット。
【請求項３】
リード線収納溝の、電源箱からリード線を導出する導出孔に対向する位置に、切り欠き部を設けたことを特徴とする請求項１記載の熱源ユニット。
【請求項４】
電源箱の下面側に配置された電装部品を覆うがごとく配置された金属製の電源箱カバーを有し、さらにこの電源箱カバーにはこの電源箱から延出されて構成され、前記熱源ユニットの筐体を構成する側板の上辺に係止固定される係止片を有するとともに、前記リード線収納溝の幅が前記係止片の幅よりも大きくなるように構成したことを特徴とする請求項１に記載の熱源ユニット。
【発明の詳細な説明】
【技術分野】
【０００１】
本発明は、電源箱を内蔵した熱源ユニットに関するものである。
【背景技術】
【０００２】
従来の空気調和機の室外ユニットの構成では、略矩形の筐体内部に設けられ冷凍サイクルを制御する機能を有する制御基板などの電装部品の引き廻しにおいて、電源部と冷凍サイクル部の間に上下仕切板を設けて、圧縮機や電源回路の一部部品へ接続する配線を仕切板上に複数配設したコネクターで中継させることができる発明が開示されている（特許文献１）。
【特許文献１】特開２００３−１０６５７０号公報
【発明の開示】
【発明が解決しようとする課題】
【０００３】
しかしながら、上記従来の構成では、各々の配線に応じて上下仕切板上にコネクターが必要であり、材料費や製造コストが高くなるという課題を有していた。
【０００４】
また、機器のメンテナンス性の面でも、上下仕切板を用いた構成ではリード線の取外し・引き回しが困難であり、脱着作業にも時間を要するとともに、リード線の引き回し状態などがサービスを行う者にとってわかりにくい状態になっていた。
【０００５】
本発明は、上記従来の課題を解決するもので、リード線の引き回しを簡素化しサービス性を向上させた熱源ユニットの提供を目的とする。
【課題を解決するための手段】
【０００６】
上記課題を解決するため、本願発明の熱源ユニットは、略矩形の筐体の上面側に配置され、電装部品を収容する電源箱であって、上方に開放されているとともに前記電源箱から導出されるリード線を収納するリード線収納溝を有する電源箱を具備したことを特徴とする。
【発明の効果】
【０００７】
本願発明によれば、電源箱の側壁面にリード線収納溝を設ける構成とすることによりリード線収納溝に一部のリード線を目的に応じて手前側または奥側へシンプルに引き廻すことが実現できるため、作業性が向上する。
【発明を実施するための最良の形態】
【０００８】
本発明の熱源ユニットは、矩形の筐体内部に設けられた電源箱と、電源箱の側壁面に上方向に開放されてリード線に収納する収納溝を備えるものである。よって、一部のリード線をリード線収納溝に引き廻した時に、リード線収納溝は電源蓋の外側にあるので、電源蓋が閉状態の場合において配線の構成が明瞭であり、リード線収納溝の出口から各々の電装部品への取付け位置が判別しやすいので、上方からのリード線の配線状況が一目で把握することができるので、電装部品の着脱が容易に行うことができる。
【０００９】
また、本発明の熱源ユニットは、リード線収納溝の深さが開口幅より長くするものである。よって、リード線の収納時において、深さ寸法を大きく確保して収納スペースを設けることによりリード線収納溝からのリード線の浮きや抜けを防止することができる。
【００１０】
また、本発明の熱源ユニットは、リード線収納溝の底面幅がリード線収納溝の開口幅よ
り短くするものである。よって、リード線の取外し時において、底面幅を短くすることにより、多大な引張力をかけずにリード線をリード線収納溝から簡単に取外すことができる。
【００１１】
また、本発明の熱源ユニットは、リード線収納溝の両端近傍の内側壁面に上下方向のリブを立設するものである。よって、立設するリブによりリード線を確実にリード線収納溝内に固定することができるので、完成品などの輸送時においてリード線収納溝からの抜けを防止することができる。
【００１２】
また、本発明の熱源ユニットは、リード線収納溝の開口部に爪を設けるものである。よって、爪によりリード線を確実に固定することができるので、完成品などの輸送時において、リード線収納溝からのリード線の抜けを防止することができる。
【００１３】
また、本発明の熱源ユニットは、リード線収納溝の収納幅の略中間に収納溝の幅よりも前記リード線収納溝の開口幅が長い切り欠き部を設けるものである。よって、平面視において、リード線収納溝の入口では、リード線が直角ではなく緩やかなＲをとることができるので、リード線が傷付くことなく容易に引廻すことができ、圧迫によるリード線の浮きも防止することができる。
【００１４】
また、本発明の熱源ユニットは、リード線収納溝の収納幅の略中間からリード線をリード線収納溝に引き廻すものである。よって、電源箱の側壁面の略中央から上方向に開放されてリード線に収納する収納溝収納溝を設けて収納溝にリード線を引き廻すことによって、用途に応じて手前のリード線収納溝または奥側のリード線収納溝の２方向に分けて引廻すことが可能となる。
【００１５】
また、本発明の熱源ユニットは、電源箱の下面側に配置され、電装部品を覆う金属製の電源箱カバーと、電源箱カバーから延出されて側板の上辺に係止固定される係止片の係止幅よりも収納幅を長くするものである。よって、金属製の電源箱カバーの係止幅よりも樹脂製の電源箱の収納幅を広くとることで、リード線が電源箱カバーのエッジ部の接触によるリード線の破損を防止することができる。
【００１６】
また、本発明の熱源ユニットは、リード線収納溝の両端側壁に沿って下方向に延出させた補強リブを設けるものである。よって、電源箱のリード線収納溝と補強リブが電源箱カバーを覆っているので、リード線が電源箱カバーのエッジに触れることがなく、エッジによるリード線の破損はない。更に、電源箱側壁に設けたリード線収納溝は、補強リブにより固定されているので、落下や振動などによるリード線収納溝の割れや白化または変形を防止することができる。
【００１７】
以下、本発明の一実施の形態による熱源ユニットについて図面を用いて説明する。最初に、図１、図２を用いて熱源ユニットの構成について説明する。
【００１８】
同図において熱源ユニットは、矩形の筐体の側面に側板２、基板１上に空気熱交換器８、圧縮機７等を配設し、更に空気熱交換器８と圧縮機７との空間に仕切板６を配設し、仕切板６の上方に電源箱４を載置し、電源箱４の側面にはリード線の導出孔１２を配設している。また、電源箱４の下面側に配置され、一部の電装部品を覆う金属製の電源箱カバー５は、電源箱カバー５から延出されて側板２の上辺に係止固定されている。また、電源箱側面に配設している導出孔１２に対向する係止片９は電源板カバー５から延出されて一体に形成されている。
【００１９】
電源箱１からはリード線１４ａ、１４ｂが引き出されており、図１に示すように電源箱
１から引き出されて各接続部に誘導される。例えば、導出孔１２から引き出され、室外ユニットＸの背面側に引き回されたリード線１４ａは、内外接続電線５０ｂの接続開口部５１に面して固定されている接続ターミナル５０ａに繋がるよう構成されている。
【００２０】
次に、図２〜図４を用いてを用いて電源箱の構成について、図面を参照にしながら説明する。
【００２１】
同図において電源箱４は、導出孔１２の外側に側壁面１８に沿ってリード線収納溝１３を設けており、リード線収納溝１３内に導出孔１２から引き出されたリード線１４を引き廻して収納している。
【００２２】
リード線収納溝１３は、リード線導出孔１２の深さ寸法Ｅは、開口幅Ｃ寸法よりも長くして更に底面幅Ｄ寸法を短くすることにより、リード線収納溝１３への挿入が容易であり、リード線１４を確実にリード線収納溝１３内へ収納することができる。
【００２３】
また、リード線収納溝１３の収納幅Ｂの略中間に導出孔１２の幅よりもリード線収納溝１３の開口幅Ｃが長い切り欠き部１７を設けている。切り欠き部１７の幅の中心と収納孔１２の幅の中心は平面視において略等しい位置にあり、センサーリード線１４ａは導出孔１２を経て奥側のリード線収納溝１３を経由して空気熱交換器８近傍へ、ターミナルリード線１４ｂは手前側のリード線収納溝１３を経由して側板２上のターミナル端子に接続している。切り欠き部１７は電源箱１から引き出されたリード線１４ａ、１４ｂを屈曲して引きまわすための自由どを確保する空間であるとともに、上方からみたときにどのリード線が、どちらに引きまわされているかを確認し易いという作用を有する。
【００２４】
尚、手前側のリード線収納溝１３に収納しているターミナルリード線１４ｂは３本のリード線が共にリード線収納溝１３に収納されるため、ターミナルリード線１４ｂの抜けが発生しやすいので、分散しないようにターミナルリード線１４ｂにパイプ１６を通してパイプ１６をリード線収納溝１３の範囲内に収納することにより、リード線の抜けを防止することができ、１本のみで構成されているセンサーリード線１４ａにおいてリード線１４の外にパイプ１６を通しても、パイプ１６によりリード線収納溝１３に固定されてリード線収納溝１３からのセンサーリード線１４ａの抜けを防止することが可能となる。
【００２５】
また、リード線収納溝１３の収納幅手前Ｊ、及び収納幅奥側Ｋの両端近傍の側壁面１８側のリード線収納溝１３壁面に縦形のリブ１５を各１個配設し、その略中間の開口部１０に爪１１を設けることにより、リード線１４がリード線収納溝１３内に確実に固定されて輸送振動などの際にはリード線が抜けることのない構成としている。
【００２６】
また、側壁面１８側の内側壁面に設けたリブ１５をリード線収納溝１３の向側に設けた場合には、リード線収納溝１３内においてリブ１５と爪１１とが交互に形成されるため、リード線１４が抜けにくくなるので、リード線収納溝１３内に確実に固定することができる。
【００２７】
更に、金属製の電源箱カバー５の係止片９の横方向である係止幅Ａよりリード線収納溝１３の横方向である収納幅Ｂを長い寸法とし、リード線収納溝１３の両端側壁から側壁面１８に当接して下方向に延出させた補強リブ２３を設けることにより、リード線収納溝１３から引廻されたリード線１４が金属製の電源箱カバー５のエッジ２０に当接しない構成としている。
【００２８】
上記の構成において、電源箱４の側壁面１８の略中央にリード線１４に収納する導出孔１２を有し、導出孔１２の外側に側壁面１８に対して平行であるリード線収納溝１３を配
設して更に爪１１やリブ１５を配置し、リード線収納溝１３の両端側壁から側壁面１８に当接して下方向に延出させた補強リブ２３を設けることで、リード線収納溝１３は補強リブ２３によって補強されてリード線収納溝１３と側壁面１８の接辺における割れや白化などを防止することができ、導出孔１２からのリード線１４はリード線収納溝１３のスペースを利用して目的に応じて確実に引き廻しができると共に、リード線に負担をかけることがなくリード線収納溝１３から簡単にリード線１４の取外しが可能なサービス性の向上も兼ね備えた熱源ユニットとなる。
【産業上の利用可能性】
【００２９】
本発明は、空気調和機など、電装箱を内蔵した機器に適用できる。
【図面の簡単な説明】
【００３０】
【図１】（ａ）本発明の一実施の形態による熱源ユニットの斜視構成模式図（ｂ）係止片付近の側方視要部構成模式図
【図２】本発明の一実施の形態を示すもので、熱源ユニットの電源箱に電源箱カバー及び電源蓋を取付の斜視図
【図３】本発明の一実施の形態による熱源ユニットの要部説明図で、図３に記載の（Ｆ）の拡大図
【図４】（ａ）本発明の一実施の形態による熱源ユニットのＧ−Ｇ断面図（ｂ）本発明の一実施の形態による熱源ユニットのＨ−Ｈ断面図
【符号の説明】
【００３１】
２  側板
４  電源箱
５  電源箱カバー
９  係止片
１０  開口部
１１  爪
１２  収納溝
１３  リード線収納溝
１４  リード線
１４ａ  センサーリード線
１４ｂ  ターミナルリード線
１５  リブ
１６  パイプ
１７  切り欠き部
１８  側壁面
１９  電源蓋
２０  エッジ
２１  制御基板
２２  電装部品
２３  補強リブ
Ａ  係止幅
Ｂ  収納幅
Ｃ  開口幅
Ｄ  底面幅
Ｅ  深さ寸法
Ｊ  収納幅手前
Ｋ  収納幅奥側
【図１】
2005147468.tif 000003
【図２】
2005147468.tif 000004
【図３】
2005147468.tif 000005
【図４】
2005147468.tif 000006